(57)【要約】【課題】トレイの強度を低下させることなく、底面の水はけをよくして優れた滅菌効率を得ることができる内視鏡蒸気滅菌用トレイを提供すること。【解決手段】内視鏡を蒸気滅菌装置に格納する際に載置するための内視鏡蒸気滅菌用トレイであって、蒸気を通過させるための複数の底孔１８が底面１０ａに穿設されたものにおいて、トレイ１０を水平な台１００上に置いたときにトレイ１０全体を傾いた状態にさせる足２０を、トレイ１０の裏面から下方に延出形成した。【選択図】      図１
2007054343.tif 000002
【特許請求の範囲】
【請求項１】
内視鏡を蒸気滅菌装置に格納する際に載置するための内視鏡蒸気滅菌用トレイであって、蒸気を通過させるための複数の底孔が底面に穿設されたものにおいて、
上記トレイを水平な台上に置いたときに上記トレイ全体を傾いた状態にさせる足を、上記トレイの裏面から下方に延出形成したことを特徴とする内視鏡蒸気滅菌用トレイ。
【請求項２】
上記足として長さの相違する複数の足が設けられている請求項１記載の内視鏡蒸気滅菌用トレイ。
【請求項３】
上記トレイの裏面の一方の端部のみに上記足が設けられている請求項１記載の内視鏡蒸気滅菌用トレイ。
【請求項４】
上記底面に穿設された複数の底孔の各々が、上方側に次第に径が大きくなるテーパ孔である請求項１、２又は３記載の内視鏡蒸気滅菌用トレイ。
【発明の詳細な説明】
【技術分野】
【０００１】
この発明は、内視鏡を高温高圧蒸気滅菌装置に格納する際に載置するための内視鏡蒸気滅菌用トレイに関する。
【背景技術】
【０００２】
内視鏡蒸気滅菌用トレイには一般に、体内挿入管部が緩く嵌め込まれる体内挿入管部案内溝と、体内挿入管部の基端に連結された操作部が緩く嵌め込まれる操作部嵌め込み溝等が、各々表面部分から窪んだ状態に形成されている（例えば、特許文献１）。
【特許文献１】特開２００２−１７８２４
【発明の開示】
【発明が解決しようとする課題】
【０００３】
内視鏡蒸気滅菌用トレイには、滅菌効率をよくするために、蒸気を通過させるための複数の底孔が底面に穿設されており、蒸気が冷えて発生した水滴等もその底孔からトレー外に排出される。
【０００４】
しかし、内視鏡蒸気滅菌用トレイの底面の底孔があいていない場所では、水はけが悪くて水滴が底面に付着するため滅菌効率が低下する問題がある。かと言って、底孔の径を無闇に大きくしたり数を多くすると、トレイの強度が低下するので好ましくない。
【０００５】
そこで本発明は、トレイの強度を低下させることなく、底面の水はけをよくして優れた滅菌効率を得ることができる内視鏡蒸気滅菌用トレイを提供することを目的とする。
【課題を解決するための手段】
【０００６】
上記の目的を達成するため、本発明の内視鏡蒸気滅菌用トレイは、内視鏡を蒸気滅菌装置に格納する際に載置するための内視鏡蒸気滅菌用トレイであって、蒸気を通過させるための複数の底孔が底面に穿設されたものにおいて、トレイを水平な台上に置いたときにトレイ全体を傾いた状態にさせる足を、トレイの裏面から下方に延出形成したものである。
【０００７】
なお、足として長さの相違する複数の足が設けられていてもよく、或いは、トレイの裏面の一方の端部のみに足が設けられていてもよい。
また、底面に穿設された複数の底孔の各々が、上方側に次第に径が大きくなるテーパ孔であるとよい。
【発明の効果】
【０００８】
本発明によれば、トレイを水平な台上に置いたときにトレイ全体を傾いた状態にさせる足を、トレイの裏面から下方に延出形成したことにより、底孔の径を無闇に大きくしたり数を多くすることなく、したがってトレイの強度を低下させることなく、底面の水はけをよくして優れた滅菌効率を得ることができる。
【発明を実施するための最良の形態】
【０００９】
内視鏡を蒸気滅菌装置に格納する際に載置するための内視鏡蒸気滅菌用トレイであって、蒸気を通過させるための複数の底孔が底面に穿設されたものにおいて、トレイを水平な台上に置いたときにトレイ全体を傾いた状態にさせる足を、トレイの裏面から下方に延出形成する。
【実施例】
【００１０】
図面を参照して本発明の実施例を説明する。
図２は、内視鏡検査使用後に高温高圧蒸気滅菌処理を行うために本発明の内視鏡蒸気滅菌用トレイに載せられる内視鏡の一例を示しており、体内に挿入される可撓性の体内挿入管部１の基端に操作部２が連結され、図示されていない光源装置（兼ビデオプロセッサ）に接続されるコネクタ部３が先端に取り付けられたライトガイドケーブル４が操作部２から延出している。ただし、本発明は、体内挿入管部１が可撓性を有していない硬性内視鏡等にも適用することができる。
【００１１】
図３は内視鏡蒸気滅菌用トレイ１０の一実施例の斜視図、図４はそのトレイ１０を逆方向から見た状態の平面図であり、トレイ１０は、病院の内視鏡室内等に設置される蒸気滅菌装置内に格納できる大きさの長方形状に形成されている。なお、図４においては理解の助けのために中程の高さの位置に形成された平面部１５を砂目状に図示してある。
【００１２】
トレイ１０の外辺に近い部分には、体内挿入管部１を緩く嵌め込むための体内挿入管部案内溝１１が形成され、ライトガイドケーブル４を緩く嵌め込むためのライトガイドケーブル案内溝１４が体内挿入管部案内溝１１の内側に並ぶ形で形成されている。
【００１３】
操作部２を緩く嵌め込むための操作部嵌め込み溝１２とコネクタ部３を緩く嵌め込むためのためのコネクタ部嵌め込み溝１３は、各々体内挿入管部案内溝１１と重なり合わないように体内挿入管部案内溝１１の内側のスペースに形成され、ライトガイドケーブル案内溝１４とは共に一部で重なり合っている。
【００１４】
１６、１７は付属品類を収容するための付属品収容孔であり、各溝１１，１２，１３，１４と付属品収容孔１６，１７等は平面部１５から適宜潜った深さに形成されている。また、それらの底面１０ａには、蒸気を通過させると同時に水滴を排出させるための底孔１８が裏側に貫通して穿設されている。
【００１５】
図１は、内視鏡蒸気滅菌用トレイ１０の側面図であり、図４におけるＶ−Ｖ部分については断面を図示してある。図中の符号２０は、トレイ１０の裏面から下方に延出形成された複数の足であり、この実施例ではトレイ１０の四隅に各一個ずつ足２０が設けられている。
【００１６】
そして、四個の足２０の長さが、トレイ１０の相対向する辺（図１における右側の辺と左側の辺）の間において相違しており、その結果、トレイ１０を水平な台１００の上に置くとトレイ１０全体が左下がりに傾いた状態になる。
【００１７】
また、各底孔１８は、Ｖ−Ｖ断面部分だけを拡大して図示する図５に示されるように、上方側に次第に径が大きくなるテーパ孔状に形成されている。孔の軸線に対するテーパ角は例えば４５°である。
【００１８】
図６は、トレイ１０に内視鏡が載置された状態の平面図、図７はその状態に置かれた内視鏡だけを抜き出して示しており、先ず操作部２が操作部嵌め込み溝１２に嵌め込まれて、体内挿入管部１が体内挿入管部案内溝１１に嵌め込まれ、次いでライトガイドケーブル４がライトガイドケーブル案内溝１４に嵌め込まれて、最後にコネクタ部３がコネクタ部嵌め込み溝１３に嵌め込まれる。
【００１９】
このとき、図６に示されるように、内視鏡の体内挿入管部１と操作部２とコネクタ部３とライトガイドケーブル４の中の二つの部分が上下方向で重なり合う部分Ａができるが、各溝１１，１２，１３，１４に深さの差が形成されているので、互いにぶつかり合うことはない。
【００２０】
そして、このようにして内視鏡が載置されたトレイ１０が蒸気滅菌装置内の水平な台１００の上に置かれると、トレイ１０は図１に示されるように全体が傾いた状態になり、しかも各底孔１８が上方側に次第に径が大きくなるテーパ孔状に形成されているので、底面１０ａに付着した水滴が下方に流れてその途中で底孔１８から外部に排出され易く、滅菌効率を向上させることができる。
【００２１】
なお、本発明は上記実施例に限定されるものではなく、例えば図８に示される実施例では、トレイ１０の裏面の一方の端部のみに一個又は二個の足２０が設けられている。このように足２０は、トレイ１０を水平な台１００の上に置いたときにトレイ１０全体を傾いた状態にさせるように、少なくとも一個設けられていればよい。
【図面の簡単な説明】
【００２２】
【図１】本発明の第１の実施例の内視鏡蒸気滅菌用トレイの一部を断面で示す側面図である。
【図２】本発明の第１の実施例の内視鏡蒸気滅菌用トレイに載せられる内視鏡の一例の外観図である。
【図３】本発明の第１の実施例の内視鏡蒸気滅菌用トレイの斜視図である。
【図４】本発明の第１の実施例の内視鏡蒸気滅菌用トレイの平面図である。
【図５】本発明の第１の実施例の内視鏡蒸気滅菌用トレイの、図４におけるＶ−Ｖ断面図である。
【図６】本発明の第１の実施例の内視鏡蒸気滅菌用トレイに内視鏡が載せられた状態の平面図である。
【図７】本発明の第１の実施例の内視鏡蒸気滅菌用トレイに載せられた状態の内視鏡だけを抜き出して示す平面図である。
【図８】本発明の第２の実施例の内視鏡蒸気滅菌用トレイの一部を断面で示す側面図である。
【符号の説明】
【００２３】
１０  トレイ
１０ａ  底面
１８  底孔
２０  足
１００  水平な台
【図１】
2007054343.tif 000003
【図２】
2007054343.tif 000004
【図３】
2007054343.tif 000005
【図４】
2007054343.tif 000006
【図５】
2007054343.tif 000007
【図６】
2007054343.tif 000008
【図７】
2007054343.tif 000009
【図８】
2007054343.tif 000010